(57)【要約】【課題】比較的簡単な構成で高いアイキャッチ効果が期待でき、かつ、組立前の状態において省スペース化を図り得る組立式の広告用具を提供する。【解決手段】トップボード２は、可撓性を有する平面状のシート材で形成されており、少なくとも一方に広告が印刷された一対の主面部２ａ，２ｂを有する。これらの主面部２ａ，２ｂにおける左端および右端は折曲線を介して互いに連結されているとともに、主面部２ａ，２ｂにおける上端および下端は互いに連結されていない。支持部４は、トップボード２に設けられ、広告が印刷された主面部２ａ，２ｂを外側に凸状に湾曲させた状態でトップボード２を支持する。【選択図】図１
2004077631.tif 000002
【特許請求の範囲】
【請求項１】
組立式の広告用具において、
可撓性を有する平面状のシート材で形成されており、少なくとも一方の主面部に広告が印刷された一対の主面部を有し、当該主面部における左端および右端は折曲線を介して互いに連結されているとともに、前記主面部における上端および下端は互いに連結されていないトップボードと、
前記トップボードに設けられ、広告が印刷された前記主面部を外側に凸状に湾曲させた状態で前記トップボードを支持する支持部と
を有することを特徴とする広告用具。
【請求項２】
前記支持部は、前記主面部における左右方向の略中央に取り付けられ、前記一対の主面部の内側を連結する棒状部材であることを特徴とする請求項１に記載された広告用具。
【請求項３】
前記支持部は、平面状の板材によって形成されているとともに、前記広告用具が組み立てられる前の状態では、平面状に折り畳まれていることを特徴とする請求項２に記載された広告用具。
【請求項４】
前記支持部は、前記主面部の上端に設けられ、広告が印刷された前記主面部の湾曲形状を保持するフラップであることを特徴とする請求項１に記載された広告用具。
【請求項５】
前記トップボードの下側に着脱自在なスタンドをさらに有し、
前記スタンドには、前記主面部の下端に差し込み可能な差込部が設けられていることを特徴とする請求項１から４のいずれかに記載された広告用具。
【請求項６】
前記トップボードに選択的に取り付け可能なスタンドとして、第１のスタンドと、当該第１のスタンドよりも前記トップボードの取付位置が低い第２のスタンドとを有することを特徴とする請求項５に記載された広告用具。
【請求項７】
前記第１のスタンドおよび前記第２のスタンドは、平面状の板材によって形成されており、前記第１のスタンドが形成される板材部位内に、前記第１のスタンドよりも小さな前記第２のスタンドが抜き取り可能な状態で形成されていることを特徴とする請求項６に記載された広告用具。
【請求項８】
前記トップボードには、左右方向に延在する折曲線が設けられており、前記広告用具が組み立てられる前の状態において、前記トップボードは、前記折曲線に沿って折り畳まれていることを特徴とする請求項１から７のいずれかに記載された広告用具。
【請求項９】
組立式の広告用具において、
広告が印刷されたトップボードと、
前記トップボードの下側に着脱自在な第１のスタンドと、
前記トップボードの下側に着脱自在であり、前記第１のスタンドと選択的に用いられ、かつ、前記第１のスタンドよりも前記トップボードの取付位置が低い第２のスタンドとを有し、
前記第１のスタンドおよび前記第２のスタンドは、平面状の板材によって形成されており、前記第１のスタンドが形成される板材部位内に、前記第１のスタンドよりも小さな前記第２のスタンドが抜き取り可能な状態で形成されていることを特徴とする広告用具。
【請求項１０】
広告用具の組立方法において、
可撓性を有する平面状のシート材で形成されており、少なくとも一方の主面部に広告が印刷された一対の主面部を有し、当該主面部における左端および右端は折曲線を介して互いに連結されているとともに、前記主面部における上端および下端は互いに連結されていないトップボードにおいて、広告が印刷された前記主面部を外側に凸状に湾曲させるステップと、
前記トップボードに設けられた支持部によって、広告が印刷された前記主面部の湾曲形状を保持するステップと
を有することを特徴とする広告用具の組立方法。
【請求項１１】
湾曲形状の前記トップボードの下側にスタンドを取り付けるステップをさらに有することを特徴とする請求項１０に記載された広告用具の組立方法。
【発明の詳細な説明】
【０００１】
【発明の属する技術分野】
本発明は、組立式の広告用具およびその組立方法に関する。
【０００２】
【従来の技術】
顧客の注目を集め、商品の販売促進を図るための店頭用ツールとして、商品の広告が印刷されたトップボードを有する広告用具が知られている。一般に、このようなトップボードとしては、軽量なスチレンボード、または、例えば特開２００２−１９３２４５号に開示されているように、板紙を折り曲げたもの等が用いられる。従来のトップボードは、広告が印刷された広告面が平面的なものが多かった。
【０００３】
【発明が解決しようとする課題】
ところで、広告用具に対する一般的な要求としては、アイキャッチ効果が高いこと、製造コストが安価であること、組立作業が簡単であること、占有スペースが小さいこと等が挙げられる。広告面が平面的なトップボードが大半を占める中、それを曲面化したものを用いれば、形態的な目新しさが生まれるため、アイキャッチ効果の一層の向上を図ることができる。しかしながら、その反面、広告用具の構成が複雑化する傾向があるので、製造コストが高くなったり、組立作業が煩雑化したりするおそれがある。それとともに、広告用具が組み立てられる前の状態において、広告面を湾曲させた分だけ、占有スペースの拡大を招く可能性もある。
【０００４】
本発明は、かかる事情に鑑みてなされたものであり、その目的は、比較的簡単な構成で高いアイキャッチ効果が期待でき、かつ、組立前の状態において省スペース化を図り得る組立式の広告用具を提供することである。
【０００５】
【課題を解決するための手段】
かかる課題を解決するために、第１の発明にかかる組立式の広告用具は、トップボードと支持部とを有する。トップボードは、可撓性を有する平面状のシート材で形成されており、少なくとも一方の主面部に広告が印刷された一対の主面部を有する。これらの主面部における左端および右端は折曲線を介して互いに連結されているとともに、主面部における上端および下端は互いに連結されていない。支持部は、トップボードに設けられ、広告が印刷された主面部を外側に凸状に湾曲させた状態でトップボードを支持する。
【０００６】
ここで、第１の発明において、上記支持部は、主面部における左右方向の略中央に取り付けられ、一対の主面部の内側を連結する棒状部材であってもよい。この支持部は、平面状の板材によって形成されているとともに、広告用具が組み立てられる前の状態では、平面状に折り畳まれていることが好ましい。
【０００７】
また、第１の発明において、上記支持部は、主面部の上端に設けられ、広告が印刷された主面部の湾曲形状を保持するフラップであってもよい。
【０００８】
また、第１の発明において、トップボードの下側に着脱自在なスタンドをさらに設けてもよい。このスタンドには、主面部の下端に差し込み可能な差込部が設けられていることが好ましい。また、トップボードに選択的に取り付け可能なスタンドとして、第１のスタンドと、この第１のスタンドよりもトップボードの取付位置が低い第２のスタンドとを有することが好ましい。さらに、第１のスタンドおよび第２のスタンドは、平面状の板材によって形成されており、第１のスタンドが形成される板材部位内に、第１のスタンドよりも小さな第２のスタンドが抜き取り可能な状態で形成されていることが望ましい。
【０００９】
また、第１の発明において、上記トップボードには、左右方向に延在する折曲線が設けられており、広告用具が組み立てられる前の状態において、トップボードは、折曲線に沿って折り畳まれていることが好ましい。
【００１０】
第２の発明にかかる組立式の広告用具は、広告が印刷されたトップボードと、トップボードの下側に着脱自在な第１のスタンドと、トップボードの下側に着脱自在であり、第１のスタンドと選択的に用いられ、かつ、第１のスタンドよりもトップボードの取付位置が低い第２のスタンドとを有する。ここで、第１のスタンドおよび第２のスタンドは、平面状の板材によって形成されており、第１のスタンドが形成される板材部位内に、第１のスタンドよりも小さな第２のスタンドが抜き取り可能な状態で形成されている。
【００１１】
第３の発明は、トップボードと支持部とを有する広告用具の組立方法を提供する。トップボードは、可撓性を有する平面状のシート材で形成されており、少なくとも一方の主面部に広告が印刷された一対の主面部を有する。これらの主面部における左端および右端は折曲線を介して互いに連結されているとともに、主面部における上端および下端は互いに連結されていない。この組立方法は、広告が印刷された主面部を外側に凸状に湾曲させるステップと、トップボードに設けられた支持部によって、広告が印刷された主面部の湾曲形状を保持するステップとを有する。
【００１２】
ここで、第３の発明において、湾曲形状のトップボードの下側にスタンドを取り付けるステップをさらに設けてもよい。
【００１３】
【発明の実施の形態】
（第１の実施形態）
図１は、本実施形態にかかる広告用具の外観斜視図である。この広告用具１は、トップボード２と、一対のスタンド３（後述する第１のスタンド３に相当）と、支持部４とで構成されている。トップボード２は、一対の主面部２ａ，２ｂを主体に構成されている。手前側の主面部２ａの外面および裏手側の主面部２ｂの外面は、それぞれトップボード２の外側に凸状に湾曲しており、左右の端部が互いに連結されている。また、主面部２ａ，２ｂの上下の端部は、互いに連結されておらず、トップボード２の形状としては、上下の端部が開口した形状になる。このような主面部２ａ，２ｂの湾曲形状は、支持部４によって保持されている。この支持部４は、一対の主面部２ａ，２ｂにおける左右方向の略中央に取り付けられており、これらの内側を連結する棒状部材である。そして、湾曲した主面部２ａ，２ｂのそれぞれには、広告対象となる商品に関する広告（商品説明、宣伝、キャッチフレーズ等を含む）が印刷されている。一対のスタンド３は、トップボード２の下側に着脱自在に取り付けられており、上部のトップボード２を安定的に起立させる。なお、本実施形態では、手前側の主面部２ａおよび裏手側の主面部２ｂの両方に広告が印刷されている。これにより、２つの湾曲面に２種類の広告を表記できるため、トップボード２の表面を効率的に活用することができる。ただし、広告の印刷面は、主面部２ａ，２ｂのいずれか一方のみであってもよい。
【００１４】
トップボード２は、可撓性を有する平面的なシート材を立体化したものであり、本実施形態では、加工性に優れ、かつ安価な板紙によって形成されている。図２は、トップボード２の平面展開図である。一方の主面部２ａの左端は、折曲線２ｃを介して他方の主面部２ｂの右端と連結しているとともに、この主面部２ａの右端には、折曲線２ｄを介して糊代部２ｇが設けられている。また、一方の主面部２ａの下端には切込部２ｅが２箇所に設けられているとともに、他方の主面部２ｂの下端にも切込部２ｅが２箇所に設けられている。ただし、一方の主面部２ａ側の切込部２ｅと他方の主面部２ｂ側のそれとが対になってスタンド３と係合する関係上、対になる切込部２ｅは、上下方向に延在する折曲線２ｃに対して線対称な位置に設けられている。さらに、トップボード２には、左右方向に延在する２本の折曲線２ｆが設けられている。広告用具１が組み立てられる前の状態において、トップボード２は、図３の矢印に示すように折曲線２ｆに沿って３つに折り畳まれており、これに平面状に展開された一対のスタンド３が同梱されている。
【００１５】
トップボード２は、上述した展開構造を有する板紙に対して、折曲加工と接着加工とを施すことによって形成される。具体的には、主面部２ａ，２ｂが折曲線２ｃに沿って山折りされるとともに（その結果、広告の印刷面がトップボード２の外面になる）、主面部２ａと糊代部２ｇとが折曲線２ｄに沿って山折りされる。そして、最も右側の糊代部２ｇが他方の主面部２ｂの左端に接着される。これにより、図３に示す平面状態（湾曲させていない状態）のトップボード２が形成される。
【００１６】
支持部４は、ある程度の強度を有する平面状の板材（本実施形態では厚紙）をベースに構成されている。図４は、支持部４の平面展開図である。この支持部４は、四隅が面取りされた略長方形状の連結部４ａと、その長手方向の両端に設けられた一対の糊代部４ｂとを有する。一方の糊代部４ｂは、一方の主面部２ａの内側に接着されており、他方の糊代部４ｂは、他方の主面部２ｂの内側に接着されている。糊代部４ｂは、折曲線４ｃを介して連結部４ａと連結されているため、連結部４ａに対して折り曲げ自在である。一方、連結部４ａには、その幅方向に延在する１本の折曲線４ｄと、長手方向に延在する２本の折曲線４ｅとが設けられている。
【００１７】
図３に示した状態では、幅方向の折曲線４ｄによって連結部４ａがヘ字状に屈曲するため、連結部４ａが平面状に折り畳まれる。その結果、筒状のトップボード２もほぼ平面状になる。これに対して、図５に示した状態では、主面部２ａ，２ｂに対して連結部４ａが直立した棒状になるとともに、長手方向の２本の折曲線４ｅによって連結部４ａの両サイドが折れ曲がって、連結部４ａの断面が略コ字状になる。この状態では、両サイドの部位が連結部４ａのリブ（補強部）として機能するため、ユーザが両サイドを再び展開しない限り、棒状の連結部４ａがヘ字状に屈曲してしまうことはない。このように、支持部４が棒状部材として機能することで、主面部２ａ，２ｂが湾曲状態から本来の平面状態へ復帰（この復帰力は主面部２ａ，２ｂ自身の可撓性より生じる）してしまうことが規制されるため、トップボード２の湾曲形状が保持される。
【００１８】
スタンド３は、ある程度の強度を有する平面状の板材（本実施形態では厚紙）をベースに構成されている。図６は、スタンド３の平面展開図であり、図７は、スタンド３の組立説明図である。このスタンド３は、主板３ａ、側板３ｂおよび補強板３ｃを主体に構成されている。スタンド３を組み立てる場合、まず、主板３ａと連結した側板３ｂを、図７の矢印Ａに示すように主板３ａに対して直角に折り曲げる。そして、補強板３ｃを、矢印Ｂに示すように側板３ｂに対して直角に折り曲げて、補強板３ｃ側に設けられた凹状の係止部３ｄを側板３ｂ側に設けられた凸状の係止部３ｅに係合させる。これにより、図７の上面視において、主板３ａとこれに固定された側板３ｂとが略Ｔ字状となり、スタンド３が起立可能になる。そして、主板３ａの上側に設けられた一対の差込部３ｆに、トップボード２側の切込部２ｅをそれぞれ差し込むことにより、広告用具１は図１に示した形態となる。なお、１枚のスタンド３に形成された一対の差込部３ｆは、主面部２ａ，２ｂの湾曲形状を下側より保持する支持部としても機能する。
【００１９】
ここで、第１のスタンド３が形成される板材部位（すなわち主板３ａ）内には、第１のスタンド３よりも小さな略長方形状の第２のスタンド５が抜き取り可能な状態で形成されている。第１のスタンド３に代えて第２のスタンド５を用いる場合、主板３ａより第２のスタンド５を抜き取る。そして、その上側に設けられた差込部５ａにトップボード２側の切込部２ｅを差し込むことで、図１に示した形態よりもトップボード２の取付位置が低い、換言すれば、スタンドの接地位置からトップボード２の取付位置までの高さが低い広告用具１となる。
【００２０】
つぎに、上述した広告用具１の組立手順について説明する。広告用具１を組み立てるユーザ（店頭販売員等）は、まず、パッケージとして同梱されている平面状態のトップボード２と、平面状態の一対のスタンド３とを取り出し、３つに折り畳まれたトップボード２を図３に示した状態に展開する。つぎに、ユーザは、広告が印刷された主面部２ａ，２ｂを外側に凸状に湾曲させながら、屈曲した支持部４を棒状に直立させて、主面部２ａ，２ｂの湾曲形状を保持する。そして、ユーザは、トップボード２の下側に一対のスタンド３（または５）を取り付ける。取付対象となるスタンドは、第１のスタンド３または第２のスタンド５であり、ユーザの裁量によって、いずれか一方が選択的に使用される。トップボード２の取付位置が高い第１のスタンド３を使用する場合、ユーザは、第１のスタンド３を図７に示した状態に組み立てた上で、これをトップボード２の下側に取り付ける。この場合、取付対象とならない第２のスタンド５は、主板３ａに取り付けられた状態のままでもよいが、主板３ａより抜き取っても構わない。一方、トップボード２の取付位置が低い第２のスタンド５を使用する場合、ユーザは、主板３ａより第２のスタンド５を抜き取り、これをトップボード２の下側に取り付ける。
【００２１】
このように、本実施形態にかかる組立式の広告用具１では、トップボード２を構成する主面部２ａ，２ｂが外側に凸状に湾曲した状態で保持され、その湾曲面に商品の広告が表示される。これにより、トップボード２としての形態的な目新しさが生まれるため、アイキャッチ効果の向上による販売促進を図ることができる。また、広告用具１の組立前においては、トップボード２が平面状態になるため、広告用具１を有効にコンパクト化できる。特に、本実施形態のように、トップボード２を折曲線２ｆに沿って折り畳めば、組立前の広告用具１を一層コンパクト化できる。さらに、この広告用具１は、構成が比較的単純であるため製造コストも安価であり、組立作業も簡単である。
【００２２】
また、本実施形態によれば、トップボード２に選択的に取付可能なスタンドとして、トップボード２の取付位置が異なる第１のスタンド３と第２のスタンド５とが用意されている。ユーザは、広告用具１の設置環境等を考慮した上で、いずれかのスタンド３，５を選択する。これにより、様々な設置環境等に適合した形態で広告用具１を設置することが可能となる。特に、本実施形態のように、第１のスタンド３が形成される板材部位内に第２のスタンド５を抜き取り可能な状態で形成すれば、板材を有効的に活用できるため、製造コストの一層の低減を図ることができる。それとともに、配送時における広告用具１の厚みを抑えることができるため、物流コストも低減できる。
【００２３】
なお、上述した実施形態では、一対の主面部２ａ，２ｂが折曲線２ｃ，２ｄを介して直接連結されている形態について説明した。しかしながら、本発明はこれに限定されるものではなく、一対の主面部２ａ，２ｂが折曲線２ｃ，２ｄを介して間接的に連結されている形態であってもよい。例えば、手前側の主面部２ａが折曲線を介して側面部に連結されており、この側面部が別の折曲線を介して裏手側の主面部２ｂに連結されているといった如くである。なお、この点は、以下に述べる実施形態についても同様である。
【００２４】
（第２の実施形態）
図８は、第２の実施形態にかかる広告用具の外観斜視図である。なお、同図において、第１の実施形態で述べた部材と基本的に同じ部材については同一の符号を付して、ここでの説明を省略する。この広告用具１’を構成するトップボード２’が、第１の実施形態にかかるトップボード２と相違する点は、棒状の支持部４をなくし、その代わりに一対のフラップ６ａ，６ｂを設けた点である。
【００２５】
一方のフラップ６ａは、手前側の主面部２ａ’の上端に折曲線を介して連結されており、他方のフラップ６ｂは、裏手側の主面部２ｂ’の上端に折曲線を介して連結されている。主面部２ａ’の上端形状は、上方に向かって凹状に湾曲しているとともに、この上端に連結されたフラップ６ａは、左右の端部から中央に向かって連続的に拡幅する形状を有する。同様に、主面部２ｂ’の上端形状も、上方に向かって凹状に湾曲しているとともに、この上端に連結されたフラップ６ｂも、左右の端部から中央に向かって連続的に拡幅する形状を有する。
【００２６】
これらのフラップ６ａ，６ｂは、主面部２ａ’，２ｂ’の湾曲形状を保持する支持部として機能する。そのために、まず、一方のフラップ６ａをトップボード２’の内側に折り曲げた後、このフラップ６ａと重なり合うように他方のフラップ６ｂをトップボード２’の内側に折り曲げる。これにより、互いに重なり合ったフラップ６ａ，６ｂのうち、下側に位置するフラップ６ａの先端は、裏手側の主面部２ｂ’と当接する（図示した一点鎖線は当接部分を示す）。主面部２ａ’は、フラップ６ａの付け根形状に沿って外側に凸状に湾曲するとともに、主面部２ｂ’は、フラップ６ａの先端形状に沿って外側に凸状に湾曲する。そして、これらの主面部２ａ’，２ｂ’の湾曲形状は、下側のフラップ６ａによって保持される。
【００２７】
なお、トップボード２’のデザイン性の観点より、上側に位置するフラップ６ｂは、下側のフラップ６ａと同様の形状になっている。しかしながら、上側のフラップ６ｂは、下側のフラップ６ａの先端を受け止める機能を有すれば足りるので、必ずしもフラップ状である必要はない。例えば、裏手側の主面部２ｂ’の上端が内側に折り曲がったフック状の如きものであっても、下側のフラップ６ａの先端を受け止めることができる。
【００２８】
本実施形態によれば、主面部２ａ’，２ｂ’の上端にフラップ６ａ，６ｂを設けることにより、トップボード２’の湾曲形状が保持されるため、第１の実施形態と同様の効果を得ることができる。特に、本実施形態では、第１の実施形態のように、棒状の支持部４を別体で用いる必要がなく、これと同等に機能するフラップ６ａ，６ｂを主面部２ａ，２ｂ等と一体形成できるため、部品点数を削減でき、かつ、トップボード２’の形成作業も簡略化できる。
【００２９】
【発明の効果】
本発明にかかる組立式の広告用具によれば、トップボードの湾曲面が広告面となるため、高いアイキャッチ効果を期待できる。また、このような湾曲形状を有するトップボードを比較的簡単な構成で実現でき、その組立作業も容易である。さらに、組立前の広告用具をコンパクト化できるため、省スペース化を図ることができる。
【図面の簡単な説明】
【図１】第１の実施形態にかかる広告用具の外観斜視図
【図２】トップボードの平面展開図
【図３】平面状態のトップボードの説明図
【図４】支持部の平面展開図
【図５】湾曲状態のトップボードの説明図
【図６】スタンドの平面展開図
【図７】スタンドの組立説明図
【図８】第２の実施形態にかかる広告用具の外観斜視図
【符号の説明】
１　　広告用具
２　　トップボード
２ａ　主面部
２ｂ　主面部
２ｃ　折曲線
２ｄ　折曲線
２ｆ　折曲線
２ｅ　切込部
２ｇ　糊代部
３　　スタンド（第１のスタンド）
３ａ　主板
３ｂ　側板
３ｃ　補強板
３ｄ　係止部
３ｅ　係止部
３ｆ　差込部
４　　支持部
４ａ　連結部
４ｂ　糊代部
５　　第２のスタンド
５ａ　差込部
６ａ　フラップ
６ｂ　フラップ
【図１】
2004077631.tif 000003
【図２】
2004077631.tif 000004
【図３】
2004077631.tif 000005
【図４】
2004077631.tif 000006
【図５】
2004077631.tif 000007
【図６】
2004077631.tif 000008
【図７】
2004077631.tif 000009
【図８】
2004077631.tif 000010